(57)【要約】【課題】  上流側での露光処理に影響を与えることなく、感光材料の表裏を反転させるべく設けられたリバース機構を通過する感光材料の移動方向を方向変換させることができ、長尺な感光材料であっても全長に亘って適正に露光処理することのできる露光処理装置を提供する。【解決手段】  一端を先頭にして搬送されてくる露光処理中の感光材料を受け取って他端を先頭にして感光材料を送り出すリバース機構と、リバース機構を通過した感光材料の移動方向を方向変換させる方向変換案内面を有するガイド手段とを備えた露光処理装置において、ガイド手段は、方向変換された感光材料の移動方向を少なくとも一回以上方向変換させるよう、感光材料を方向変換させる部位に方向変換案内面を更に有し、方向変換案内面は、それぞれの上流側の感光材料の移動軌跡を延長した仮想線に交差するように形成されていることを特徴とする。【選択図】図３
2007156236.tif 000002
【特許請求の範囲】
【請求項１】
略水平方向に搬送中の感光材料に露光処理を施す露光ユニットと、露光ユニットから一端を先頭にして搬送されてくる露光処理中の感光材料を受け取って略水平方向に搬送する第一状態と露光ユニットから乗り移った他端を先頭にして感光材料を略鉛直方向上方に送り出す第二状態とに切り換え可能に構成されたリバース機構と、略水平方向に搬送されて第一状態のリバース機構を通過した感光材料を案内し、該感光材料の移動方向を略鉛直方向下方に方向変換させる方向変換案内面を有するガイド手段とを備えた露光処理装置において、前記ガイド手段は、略鉛直方向に方向変換された感光材料の移動方向を少なくとも一回以上方向変換可能に構成され、感光材料を方向変換させる部位に感光材料を案内する方向変換案内面を更に有し、前記方向変換案内面は、それぞれの上流側の感光材料の移動軌跡を延長した仮想線に交差し、且つ感光材料に対する案内方向の下流側ほど前記移動軌跡及び仮想線から離間するように形成されていることを特徴とする露光処理装置。
【請求項２】
前記ガイド手段は、リバース機構を通過する感光材料の移動方向を略鉛直方向下方に方向変換させる方向変換案内面を有する第一ガイド体と、第一ガイド体で方向変換されて垂下状態にある感光材料の移動方向を略水平方向に方向変換させる方向変換案内面を有する第二ガイド体とで構成されている請求項１記載の露光処理装置。
【請求項３】
前記ガイド手段は、少なくとも方向変換案内面上に、感光材料の移動方向に沿って延びる凸条が少なくとも一つ以上形成されている請求項１又は２記載の露光処理装置。
【請求項４】
前記方向変換案内面は、直線性のある上流側の移動軌跡を基準にして１００°乃至１７０°の角度範囲内で傾斜した傾斜面で構成されている請求項１乃至３の何れか１項に記載の露光処理装置。
【発明の詳細な説明】
【技術分野】
【０００１】
本発明は、感光材料に対して露光処理を施す露光処理装置に関する。特には、露光処理を施す露光ユニットと、露光ユニットから一端を先頭にして搬送されてくる露光処理中の感光材料を受け取って略水平方向に搬送する第一状態と露光ユニットから乗り移った他端を先頭にして感光材料を略鉛直方向上方に送り出す第二状態とに切り換え可能に構成されたリバース機構と、第一状態で略水平方向に搬送されてリバース機構を通過した感光材料を案内し、該感光材料の移動方向を略鉛直方向下方に方向変換させる方向変換案内面を有するガイド手段とを備えた露光処理装置に関する。
【背景技術】
【０００２】
従来から、感光材料に露光処理を施す露光処理装置が知られている。かかる露光処理装置として、感光材料を略水平方向に搬送しつつ該感光材料の乳剤面を露光する露光ユニットを備えたものがある。
【０００３】
該露光処理装置は、感光材料の搬送経路が連続するように、露光処理された感光材料を現像処理する現像処理装置が連結されるのが一般的であるが、その現像処理装置には、現像（乳剤面に対する現像処理液の接触）の関係で感光材料の表裏を反転して露光処理装置から感光材料を送り込まなければならないものがある。
【０００４】
そのため、露光処理装置には、上記露光ユニットに加え、該露光ユニットから一端を先頭にして搬送されてくる露光処理中の感光材料を受け取って略水平方向に搬送する第一状態と露光ユニットから乗り移った他端を先頭にして感光材料を略鉛直方向上方に送り出す第二状態とに切り換え可能に構成されたリバース機構と、略水平方向に搬送されて第一状態のリバース機構を通過した感光材料を案内し、該感光材料の移動方向を略鉛直方向下方に方向変換させる方向変換案内面を有するガイド手段とを備えたものがある。
【０００５】
かかる露光処理装置は、第一状態にあるリバース機構が露光ユニットから受け取った感光材料を搬送するに際し、該リバース機構を通過した感光材料の移動方向をガイド手段（方向変換案内面）で略鉛直方向に方向変換させることで、不用意に内壁面等に干渉するのを防止するようになっている。そして、リバース機構を第二状態にすることで、搬送方向に対する感光材料の先頭が一端（先端）から他端（後端）に入れ替わり、感光材料を表裏反転して搬送できるようになっている。これにより、感光材料を表裏反転させた状態で送り込まなければならない現像処理装置を連設しても、この種の現像処理装置に対応した状態で感光材料を送り込むことができるようになっている（例えば、特許文献１参照）。
【特許文献１】特開２００２−５５４００号公報
【発明の開示】
【発明が解決しようとする課題】
【０００６】
ところで、近年においては、サービスサイズの写真以外に、パノラマサイズの写真や、一般的なパノラマサイズよりも長尺な写真を出力することが要求されることがある。このような長尺な写真を取り扱う場合、第一状態にあるリバース機構を通過する感光材料の通過量が非常に大きくなるため、感光材料の移動方向を略鉛直方向下方に方向変換させたとしても、当該感光材料が底や壁面に干渉してしまうことがある。すなわち、感光材料が長尺であると、露光ユニット（露光領域）とリバース機構とに跨った状態でリバース機構を通過する感光材料の通過量が多くなり、該リバース機構を通過して鉛直方向に方向変換された感光材料の自由度が大きくなってしまう。その結果、リバース機構を通過した感光材料が内壁面に接触し易くなる上に、底に到達してしまうことがあり、内壁面や底との接触で上流側（露光領域）での露光処理に影響が出てしまう（感光材料に帯状或いは筋状の露光ムラ（バンディング）が発生してしまう）場合がある。特に、リバース機構から底までの距離が短い場合（長尺な感光材料の移動を許容する距離を確保できない場合）には、略鉛直方向に方向変換された感光材料が底に干渉することが顕著である。
【０００７】
そこで、本発明は、斯かる実情に鑑み、上流側での露光処理に影響を与えることなく、感光材料の表裏を反転させるべく設けられたリバース機構を通過する感光材料の移動方向を方向変換させることができ、長尺な感光材料であっても全長に亘って適正に露光処理することのできる露光処理装置を提供することを課題とする。
【課題を解決するための手段】
【０００８】
本発明に係る露光処理装置は、略水平方向に搬送中の感光材料に露光処理を施す露光ユニットと、露光ユニットから一端を先頭にして搬送されてくる露光処理中の感光材料を受け取って略水平方向に搬送する第一状態と露光ユニットから乗り移った他端を先頭にして感光材料を略鉛直方向上方に送り出す第二状態とに切り換え可能に構成されたリバース機構と、略水平方向に搬送されて第一状態のリバース機構を通過した感光材料を案内し、該感光材料の移動方向を略鉛直方向下方に方向変換させる方向変換案内面を有するガイド手段とを備えた露光処理装置において、前記ガイド手段は、略鉛直方向に方向変換された感光材料の移動方向を少なくとも一回以上方向変換可能に構成され、感光材料を方向変換させる部位に感光材料を案内する方向変換案内面を更に有し、前記方向変換案内面は、それぞれの上流側の感光材料の移動軌跡を延長した仮想線に交差し、且つ感光材料に対する案内方向の下流側ほど前記移動軌跡及び仮想線から離間するように形成されていることを特徴とする。ここで「感光材料の移動軌跡」とは、設計段階において感光材料が通過することを想定した感光材料の軌跡であって、実際に感光材料が通過する軌跡は勿論のこと、感光材料の通過が予定される軌跡を含んだ概念である。
【０００９】
上記構成によれば、ガイド手段が、略鉛直方向に方向変換された感光材料の移動方向を少なくとも一回以上方向変換可能に構成され、感光材料を方向変換させる部位に感光材料を案内する方向変換案内面を更に有しているので、長尺な感光材料が採用されたとしても、該感光材料が底部に干渉するのを防止することができ、露光ユニットに跨った他端側（移動方向における上流側）に対する露光処理を適正に行うことができる。
【００１０】
そして、方向変換案内面が、それぞれの上流側の感光材料の移動軌跡を延長した仮想線に交差し、且つ感光材料に対する案内方向の下流側ほど前記移動軌跡及び仮想線から離間するように形成されているので、感光材料を略鉛直方向に方向変換させる部位やそれ以外での方向変換させる部位の何れにおいても、リバース機構によって搬送されて移動する感光材料（先頭となる一端）と方向変換案内面との接触角度が小さくなり、方向変換案内面に対して感光材料の一端が接触する際に衝撃が生じるのを防止することができ、他端側が露光ユニットで露光されていても適正な露光を行うことができる。
【００１１】
本発明の一態様として、前記ガイド手段は、リバース機構を通過する感光材料の移動方向を略鉛直方向下方に方向変換させる方向変換案内面を有する第一ガイド体と、第一ガイド体で方向変換されて垂下状態にある感光材料の移動方向を略水平方向に方向変換させる方向変換案内面を有する第二ガイド体とで構成されていることが好ましい。感光材料が長尺である場合、リバース機構を通過した感光材料の移動方向が略鉛直方向に変更されたとしても、感光材料の先頭となる一端が筐体の底等と干渉するおそれがあるが、上述の如く、第一ガイド体と第二ガイド体とを設けることで、略水平方向に搬送されてくる感光材料の搬送方向を略鉛直方向に変更した後に略水平方向に変更することができ、リバース機構を通過する感光材料の通過量が多くても周囲との干渉を防止することができる。そして、第一ガイド体及び第二ガイド体のいずれも、上述の如く、それぞれの上流側の感光材料の移動軌跡を延長した仮想線に交差し、且つ感光材料に対する案内方向の下流側ほど前記移動軌跡及び仮想線から離間するように形成されているため、衝撃が生じるような状態で感光材料の先頭となる一端が接触することもない。
【００１２】
そして、前記ガイド手段は、少なくとも方向変換案内面上に、感光材料の移動方向に沿って延びる凸条が少なくとも一つ以上形成されていることが好ましい。感光材料の案内は方向変換案内面との接触によるものであるので、接触面積が大きすぎると抵抗も大きくなって他端側の露光処理に悪影響を与えてしまうおそれがあるが、方向変換案内面上に凸条を設けることで、感光材料との接触面積が小さくなり、感光材料を案内する際の抵抗が小さくなる。従って、方向変換案内面による感光材料の案内で生じる抵抗が他端側に影響を与えにくくなり、感光材料を全長に亘って適正に露光処理することができる。
【００１３】
そして、前記方向変換案内面は、直線性のある上流側の移動軌跡を基準にして１００°乃至１７０°の角度範囲内で傾斜した傾斜面で構成されていることが好ましい。このようにすれば、方向変換案内面に対する感光材料の進入角度（接触角度）が小さくなり、感光材料を円滑に案内することができる。
【発明の効果】
【００１４】
以上のように、本発明の露光処理装置によれば、上流側での露光処理に影響を与えることなく、感光材料の表裏を反転させるべく設けられたリバース機構を通過する感光材料の移動方向を方向変換させることができ、長尺な感光材料であっても全長に亘って適正に露光処理することができるという優れた効果を奏し得る。
【発明を実施するための最良の形態】
【００１５】
以下、本発明の一実施形態に係る露光処理装置について、添付図面を参照しつつ説明する。
【００１６】
本実施形態に係る露光処理装置は、図１に示す如く、感光材料に対して露光処理を施し、露光処理された感光材料を現像、乾燥処理して最終的な製品としての写真プリントにまで仕上げる写真処理装置１に組み込まれている。
【００１７】
かかる写真処理装置１について具体的に説明すると、写真処理装置１は、該写真処理装置１の全体の制御を行う制御部１０と、画像データを基に感光材料に露光処理を施す露光処理部（露光処理装置）２０と、露光処理部２０で露光処理された感光材料に対して現像処理を施す現像処理部３０と、現像処理された感光材料を乾燥処理する乾燥処理部４０とを備えている。
【００１８】
該制御部１０は、図２に示す如く、各処理の処理状況や操作案内等を表示するモニター１００と、該モニター１００の表示に基づいて入力操作を行うための入力手段１０１と、露光処理部２０で感光材料Ｐに露光処理を行うための画像データを読み取る読取手段１０２と、露光処理を行うに際し、各種処理や写真処理装置１の実質的な制御を行う演算処理装置１０３とを備えている。
【００１９】
前記モニター１００には、ブラウン管モニター或いは液晶モニターを採用することができ、本実施形態においてはブラウン管モニターが採用されている。前記入力手段１０１には、キーボード１０１ａとマウス１０１ｂとが採用されている。
【００２０】
本実施形態に係る読取手段１０２には、帯状のフィルムＦに形成された複数の駒画像を読み取るフィルムスキャナ１０２ａと、ＣＤ−Ｒ／ＲＷやメモリカード等の各種メディアからデータ（例えば、画像データ）を読み込むメディアドライブ１０２ｂとが採用されている。前記フィルムスキャナ１０２ａは、フィルムＦを長手方向に搬送しつつ、フィルムＦから各駒画像を画像データとして順々に読み取るようになっており、読み取った各画像データを演算処理装置１０３に伝送するようになっている。演算処理装置１０３は、実質的な演算を行うＣＰＵ１０４、該ＣＰＵ１０４に演算を実行させるためのソフトウェア等が記憶されるＲＡＭ１０５やＲＯＭ１０６等から構成されており、Ｉ／Ｏインターフェース（図示せず）を介して前記モニター１００や読取手段１０２（１０２ａ，１０２ｂ）が電気的に接続されている。
【００２１】
前記露光処理部２０は、ロール状にされた長尺な感光材料Ｐを収納するマガジン２００ａと、該マガジン２００ａから引き出された感光材料Ｐを所定の長さで切断する切断装置２０１と、該切断装置２０１により切断された感光材料Ｐを露光処理する露光ユニット２０２と、該露光処理部２０内の各構成間で感光材料Ｐを搬送し、マガジン２００ａから引き出された感光材料Ｐを下流側（前記現像処理部３０）に搬送するための搬送系２０３とを備えている。
【００２２】
前記マガジン２００ａは、ロール状にした感光材料Ｐを軸支可能に構成され、感光材料Ｐを長手方向に円滑に引き出せるようになっている。なお、本実施形態において、マガジン２００ａに収納される感光材料Ｐは、乳剤面を外側にして芯材に対してロール状に巻かれている。
【００２３】
本実施形態に係る写真処理装置１は、露光処理部２０、現像処理部３０、及び乾燥処理部４０を一体的にするための筐体２に対し、オプション（追加）のマガジン２００ｂを収容するための補助筐体３を連結できるようになっている。そして、補助筐体３を筐体２に連結することで、筐体２内に収容したマガジン２００ａから引き出される感光材料Ｐの搬送経路に対し、オプションのマガジン２００ｂから引き出される感光材料Ｐの搬送経路が合流するようになっている。なお、図示しないが、上述の搬送経路の合流部分には、搬送経路を切り換えるための搬送経路切換機構が設けられており、何れか一方のマガジン２００ａ，２００ｂから引き出された感光材料Ｐを下流側に搬送できるようになっている。
【００２４】
前記切断装置２０１は、一対のカッター２０４ａ，２０４ｂを備えており、該一対のカッター２０４ａ，２０４ｂを接離させることで、マガジン２００ａ，２００ｂから引き出されて搬送経路上で搬送される感光材料Ｐを所定サイズに切断するようになっている。
【００２５】
前記露光ユニット２０２は、感光材料Ｐを搬送する露光部搬送系２０５と、露光部搬送系２０５で搬送される感光材料Ｐの乳剤面を露光する露光エンジン２０６とを備えている。
【００２６】
前記露光部搬送系２０５は、図３に示す如く、感光材料Ｐに対する露光領域Ａを挟んで上流側及び下流側に配設された二組のローラ対２０７，２０８で構成されており、感光材料Ｐを略水平方向に搬送するようになっている。該二組のローラ対２０７，２０８のそれぞれは、一方のローラ（下側のローラ）２０７ａ，２０８ａに対して他方のローラ（上側のローラ）２０７ｂ，２０８ｂが接離可能に設けられており、感光材料Ｐを圧着した状態と圧着を解除した状態とに切り換え可能になっている。
【００２７】
露光部搬送系２０５の下流側のローラ対２０８は、感光材料Ｐが到達するまで圧着を解除した状態で待機し、露光領域Ａを通過した感光材料Ｐの先頭となる一端（先端）が、そのローラ対２０８間に進入した状態で該感光材料Ｐを圧着するようになっている。また、該露光部搬送系２０５の上流側のローラ対２０７は、圧着した感光材料Ｐの他端（後端）が該ローラ対２０７の圧着部分を通過する前に圧着を解除するようになっている。
【００２８】
本実施形態に係る露光エンジン２０６は、レーザー光源（図示しない）や、該レーザー光源からのレーザー光を前記露光領域Ａにまで導く光学系（例えば、ポリゴンミラーやレンズ：図示しない）等を備えた、いわゆるレーザーエンジンが採用されている。なお、露光エンジン２０６には、ハロゲンランプ等からなる光源と、該光源に光ファイバー束を介して接続された光シャッター（ＰＬＺＴ）とで構成されたものであってもよい。
【００２９】
図２に戻り、前記搬送系２０３は、マガジン２００ａから切断装置２０１まで感光材料Ｐを搬送する第一搬送系２１０と、切断装置２０１で切断された感光材料Ｐを露光ユニット２０２まで搬送する第二搬送系２２０と、露光ユニット２０２で露光処理中の感光材料Ｐを受け取った後に、その感光材料Ｐを下流側の現像処理部３０に搬送する第三搬送系２３０とで構成されている。
【００３０】
第一搬送系２１０は、複数のローラ対２１１…が感光材料Ｐの搬送経路に沿って配設されて構成され、各ローラ対２１１…の一方のローラ２１１ａを駆動することによって、感光材料Ｐを下流側（第二搬送系２２０）に向けて搬送するようになっている。
【００３１】
第二搬送系２２０は、第一搬送系２１０によって送られてくる感光材料Ｐの先端部を把持する第一把持機構２２１と、切断装置２０１の直下流側と露光ユニット２０２の直上流側とに跨るように設けられ、第一把持機構２２１を切断装置２０１と露光ユニット２０２との間で略直線状の軌道（略水平の軌道）上で案内するガイドレール２２２と、第一把持機構２２１をガイドレール２２２に沿って往復移動させる駆動系（図示しない）とを備えている。かかる第二搬送系２２０は、第一搬送系２１０とは異なり、感光材料Ｐの先端部を第一把持機構２２１に把持させた状態で、該第一把持機構２２１を下流側に移動させることで、感光材料Ｐを搬送するようになっている。
【００３２】
前記第三搬送系２３０は、該露光処理部２０と下流側の現像処理部３０との間で感光材料Ｐを受け渡す役目を担うもので、図３に示す如く、一端（先端）を先頭にして搬送されてくる露光処理中の感光材料Ｐの姿勢を維持させつつ受け取って略水平方向に搬送する第一状態と、露光ユニット２０２から乗り移った他端（後端）を先頭にして感光材料Ｐを略鉛直方向上方に送り出す第二状態とに切り換え可能に構成されたリバース機構２４０と、第一状態にあるリバース機構２４０によって搬送されることでリバース機構２４０を通過した感光材料Ｐの移動方向を変更させるガイド手段２５０と、リバース機構２４０によって送り出された感光材料Ｐを受け取って下流側に（現像処理部３０に向けて）搬送する搬送機構２６０とを備えている。
【００３３】
本実施形態に係る第三搬送系２３０は、リバース機構２４０及び搬送機構２６０がユニット化されており、当該ユニットを写真処理装置１（筐体２）の前面側（感光材料の搬送方向と直交方向）に引き出し可能に構成されている。これにより、ペーパー詰まり等が発生したときにメンテナンスできるようになっている。
【００３４】
前記リバース機構２４０は、上流側から搬送されてきた感光材料Ｐを受け取って下流側に搬送する圧着搬送ユニット２８０と、該圧着搬送ユニット２８０を作動させる駆動系（図示しない）とを備えている。
【００３５】
前記圧着搬送ユニット２８０は、図４に示す如く、上流側から搬送されてくる露光処理中の感光材料Ｐを両面側から案内すべく、それぞれのガイド面Ｇａ，Ｇｂを対向させて設けられる一対のガイド板２８１，２８２と、該一対のガイド板２８１，２８２に案内される感光材料Ｐを両面側から圧着して下流側に搬送する搬送ローラ対２８３と、これらを支持するためのフレーム２４１を備えている。
【００３６】
一対のガイド板２８１，２８２のうちの一方（以下、第一ガイド板という）２８１は、感光材料Ｐの保護の観点からメッキ処理された板材で構成されている。該第一ガイド板２８１は、ガイド面（以下、第一ガイド板のガイド面を第一ガイド面という）Ｇａが感光材料Ｐの搬送経路に沿った状態で固定されており、該第一ガイド面Ｇａ上に、感光材料Ｐの一方の面側に位置する一方の搬送ローラ２８３ａの外周の一部を突出させるための第一ローラ用開口２８４が形成されている。また、該第一ガイド板２８１は、搬送経路の下流側に位置する端部が、第一ガイド面Ｇａとは反対側に曲げられ、搬送ローラ対２８３による圧着領域を通過した感光材料Ｐ（先端側）が第一ガイド板２８１側に移動できるようになっている。
【００３７】
一対のガイド板２８１，２８２のうちの他方（以下、第二ガイド板という）２８２は、第一ガイド板２８１と同様に、感光材料Ｐの保護の観点からメッキ処理された板材で構成されている。該第二ガイド板２８２は、ガイド面（以下、第二ガイド板２８２のガイド面を第二ガイド面という）Ｇｂ上に、感光材料Ｐの他方の面側に位置する他方の搬送ローラ２８３ｂの外周の一部を突出させる第二ローラ用開口２８５が形成されている。該第二ガイド板２８２は、第二ガイド面Ｇｂとは反対側の面の両側端部に、アーム部材２８６が取り付けられている。該アーム部材２８６は、他方の搬送ローラ２８３ｂの両端部を軸支可能に構成されると共に、第二ガイド板２８２の他端から外方に延出し、その先端部に取り付けられた軸Ｓ２を介してフレーム２４１に軸支されている。
【００３８】
これにより、第二ガイド板２８２及び他方の搬送ローラ２８３ｂは、アーム部材２８６を介して軸Ｓ２回りで傾動可能となり、第二ガイド板２８２は、第一ガイド体２８１に対し、他方の搬送ローラ２８３ｂは、一方の搬送ローラ２８３ａに対して接離するようになっている。これにより、該搬送ローラ対２８３は、一方の搬送ローラ２８３ａに対して他方の搬送ローラ２８３ｂが接近して感光材料Ｐを圧着する圧着状態と、一方の搬送ローラ２８３ａに対して他方の搬送ローラ２８３ｂが離間し、感光材料Ｐの圧着を解除すると共に後続の感光材料Ｐの進入を許容する許容状態とに切り換わるようになっている。
【００３９】
そして、第二ガイド板２８２は、圧縮コイルバネ等の付勢手段（図示しない）によって、第一ガイド板２８１側に付勢されており、第二ガイド面Ｇｂが第一ガイド面Ｇａに対して間隔を有して略平行となる、すなわち、露光ユニット２０２から搬送されてくる感光材料Ｐの直線状の搬送経路に対して略平行になるようになっている。そして、該圧着搬送ユニット２８０は、カム体（図示しない）の取り付けられた軸体（図示しない）が、搬送ローラ２８３ｂと略並列になるようにフレーム２４１に取り付けられており、該軸体を回転させることで、カム体が付勢手段の付勢力に抗して第二ガイド板２８２及び他方の搬送ローラ２８３ｂを、アーム部材２８６の軸Ｓ２周りで傾動させ、他方の搬送ローラ２８３ｂを一方の搬送ローラ２８３ａから離間させると共に、第二ガイド板２８２の一端側を第一ガイド板２８１から離間させるようになっている。
【００４０】
搬送ローラ対２８３のうちの一方の搬送ローラ２８３ａは、第一ガイド面Ｇａとは反対面側に回転軸Ｓ１を位置させ、該第一ガイド板２８１の第一ローラ用開口２８４に対応するように固定配置され、駆動系の駆動を受けて回転するようになっている。
【００４１】
前記フレーム２４１は、間隔をおいて対向配置された一対の側板部２４３，２４３と、該側板部２４３，２４３同士を連結する一対の連結部２４４，２４５とを備えている。
【００４２】
前記一対の側板部２４３，２４３のそれぞれは、板状に形成されており、前記圧着搬送ユニット２８０を介設させる間隔をおいて対向するように設けられ、それぞれの両端が一対の連結部２４４，２４５を介して連結されている。
【００４３】
本実施形態に係る圧着搬送ユニット２８０は、前記フレーム２４１が感光材料Ｐの搬送方向と直交する方向に延びる軸回りに回転可能に設けられている。具体的には、圧着搬送ユニット２８０のフレーム２４１は、搬送機構２６０の起立した板状のベースフレーム２６１の一方の面に突設された一対の取付ブラケット２６２，２６２間に設けられ、該取付ブラケット２６２，２６２に感光材料Ｐの搬送方向と直交する方向に延びる軸（本実施形態においては、一方の搬送ローラ２８３ａの軸）Ｓ１周りで９０°の範囲で回転可能に設けられている。
【００４４】
これにより、本実施形態に係るリバース機構２４０は、圧着搬送ユニット２８０（フレーム２４１）を軸Ｓ１周りで回転させることで、上流側（露光ユニット２０２の露光領域Ａ）から略水平方向に搬送されてくる露光処理中の感光材料Ｐの姿勢を維持させつつ受け取って搬送する第一状態と、後端が露光ユニット２０２から乗り移った感光材料Ｐの姿勢を略鉛直方向に変更し、該後端を先頭にして該感光材料Ｐを（搬送機構２６０の後述する第二把持機構２６３に向けて）送り出す第二状態とに切り換わるようになっている。すなわち、該リバース機構２４０の圧着搬送ユニット２８０は、軸Ｓ１回りで９０°回転することで、露光ユニット２０２からの感光材料Ｐを受け取って搬送することができる第一姿勢と、圧着搬送ユニット２８０が後端を先頭にして感光材料Ｐを略鉛直方向上方に送り出すことができる第二姿勢とに姿勢変更可能に構成されている。これにより、リバース機構２４０は、露光ユニット２０２から送られてきた感光材料Ｐを表裏反転させて下流側に送り出せるようになっている。
【００４５】
前記ガイド手段２５０は、図３に示す如く、リバース機構２４０を通過して自由な状態（自由端）にある感光材料Ｐの移動方向を方向変換させる方向変換案内面２５１，２５２，２５５，２５６を備えている。すなわち、該ガイド手段２５０は、第一姿勢にある圧着搬送ユニット２８０によって略水平方向に搬送されて圧着領域を通過した感光材料Ｐが筐体２の内面と干渉するのを防止し、上流側での露光処理に影響が出る（バンディングが発生する）のを防止した上で、該感光材料Ｐの移動方向を変換する方向変換案内面２５１，２５２，２５５，２５６を備えている。
【００４６】
該ガイド手段２５０は、感光材料Ｐの移動方向を変換（方向変換）させる前記方向変換案内面２５１，２５２，２５５，２５６と、該方向変換案内面２５１，２５２で移動方向が所定方向に変換された感光材料Ｐを案内する主案内面２５３，２５４とを有する。
【００４７】
該ガイド手段２５０について具体的に説明すると、本実施形態に係るガイド手段２５０は、リバース機構２４０を通過した感光材料Ｐを案内し、該感光材料Ｐの移動方向（以下、便宜上、この移動方向について符号＋Ｘを付すこととする）を略鉛直方向下方（以下、便宜上、この移動方向について符号−Ｙを付すこととする）に方向変換する方向変換案内面（以下、第一方向変換案内面という）２５１を有する第一ガイド体２５０ａと、該第一ガイド体２５０ａに案内されてくる感光材料Ｐを案内し、該感光材料Ｐの移動方向−Ｙを露光処理部２０の底部でリバース機構２４０の搬送方向とは反対向きの略水平方向（以下、便宜上、この移動方向について符号−Ｘを付すこととする）に方向変換する方向変換案内面（以下、第三方向変換案内面という）２５５を有する第二ガイド体２５０ｂとを備えている。
【００４８】
前記第一ガイド体２５０ａ及び第二ガイド体２５０ｂの何れも、金属製又は樹脂製の板材で構成されている。第一ガイド体２５０ａ及び第二ガイド体２５０ｂには、ステンレス金属、鉄、アルミニウム等の金属板や、ＰＰＥ、ＰＰ、ＰＰＳ等の樹脂板等を採用することができる。
【００４９】
第一ガイド体２５０ａは、第一姿勢にある圧着搬送ユニット２８０の下流側に一方の面を該圧着搬送ユニット２８０側に向けて起立（直立）状態で設けられている。そして、該第一ガイド体２５０ａは、図４に示す如く、上方側の一端部が一方の面側に起き上がるように曲げられており、その一端部における一方の面で圧着搬送ユニット２８０を通過した感光材料Ｐの移動軌跡（直線性のある部分）Ｚを延長した仮想線Ｌに交差し、且つ感光材料Ｐに対する案内方向の下流側ほど、基準となる上流側の移動軌跡Ｚ及び仮想線Ｌから離間するように第一方向変換案内面２５１が形成されている。なお、「感光材料Ｐの移動軌跡Ｚ」とは、設計段階において感光材料が通過すること想定した感光材料の軌跡であって、実際に感光材料が通過する軌跡は勿論のこと、感光材料の通過が予定される軌跡を含んだ概念である。
【００５０】
また、第一ガイド体２５０ａは、第一方向変換案内面２５１に対して他端側（第一方向変換案内面２５１の基準となる移動軌跡Ｚと仮想線Ｌとから離間する側）に起立した平面からなる主案内面（以下、第一主案内面という）２５３が連続して形成されている。さらに、本実施形態においては、第一ガイド体２５０ａは、図５に示す如く、下方側の他端部についても、一方の面側に起き上がるように曲げられており、第一主案内面２５３で案内されてくる感光材料Ｐの搬送方向−Ｙを斜め下方に変更する方向変換案内面（以下、第二方向変換案内面という）２５２が、これに対して上流側の感光材料Ｐの移動軌跡（直線性のある部分）Ｚを延長した仮想線Ｌに交差し、且つ感光材料Ｐに対する案内方向の下流側ほど、基準となる上流側の移動軌跡Ｚ及び仮想線Ｌから離間するように形成されている。
【００５１】
そして、本実施形態において、第一方向変換案内面２５１及び第二方向変換案内面２５２は、何れも感光材料Ｐの移動軌跡Ｚの上流側の直線性の有する箇所（第一方向変換案内面２５１にあっては、これよりも上流側で圧着搬送ユニット２８０よりも下流側の直線性を有する移動軌跡Ｚで、第二方向変換案内面２５２にあっては、これよりも上流側の第一主案内面２５３で案内される直線性を有する移動軌跡Ｚ）を基準にして傾斜角θ１°，θ２°が決定された傾斜面で構成されている。
【００５２】
そして、傾斜角θ１°，θ２°は、上流側の移動軌跡Ｚに対して９０°以上の鈍角、好ましくは１００°乃至１７０°の角度範囲に設定される。これにより、第一方向変換案内面２５１及び第二方向変換案内面２５２に対する感光材料Ｐの先端との接触角度が小さくなるようになっている。なお、感光材料Ｐがロールから引き出されてカールした状態にある場合、方向変換案内面２５１，２５２は、移動軌跡Ｚに対して鈍角になることを前提に、カールした感光材料Ｐに対して接線方向に延びるように形成することが好ましい。
【００５３】
本実施形態に係る第一ガイド体２５０ａは、搬送機構２６０（ベースフレーム２６１）の背面側に配置され、筐体２内に設けられた内壁２ａに固定されている。そのため、本実施形態においては、リバース機構２４０を通過した感光材料Ｐがベースフレーム２６１に形成された開口部（図示しない）を介して第一方向変換案内面２５１に到達する（接触する）ようになっている。そして、上述の如く、リバース機構２４０及び搬送機構２６０がユニット化されて写真処理装置１（筐体２）の前面側に引き出し可能に構成されている都合上、筐体２に固定した第一ガイド体２５０ａの他端（第二方向変換案内面２５２の端部）をユニット化された搬送機構２６０と重複する位置に配置できないため、本実施形態においては、第一ガイド体２５０ａによって案内される感光材料Ｐを第二ガイド体２５０ｂに確実に導くべく、第一ガイド体２５０ａと第二ガイド体２５０ｂとの間に補助ガイド体２５０ｃを配置している。
【００５４】
すなわち、本実施形態に係るガイド手段２５０は、筐体２側に固定された第一ガイド体２５０ａ及び第二ガイド体２５０ｂと、搬送機構２６０に固定された補助ガイド体２５０ｃとで構成されている。前記補助ガイド体２５０ｃは、第一及び第二ガイド体２５０ａ，２５０ｂと同様に板材を曲げて形成されたもので、搬送機構２６０（ベースフレーム２６１）に固定されている。該補助ガイド体２５０ｃは、一方の面に感光材料Ｐを案内する案内面（以下、補助案内面という）２５７が形成されている。
【００５５】
前記補助案内面２５７は、第二方向変換案内面２５２に対して交差方向に延びた態様、すなわち、第二方向変換案内面２５２上を通過する感光材料Ｐの移動軌跡Ｚを延長した仮想線Ｌに対して交差し、且つ感光材料Ｐに対する案内方向の下流側ほど、基準となる上流側の移動軌跡Ｚ及び仮想線Ｌから離間するように形成されている。前記補助案内面２５７は、上流側での感光材料Ｐの移動軌跡Ｚ（本実施形態においては第二方向変換案内面２５２上）に対して所定角度θ３°を有する傾斜面で構成されている。
【００５６】
そして、この補助案内面２５７の傾斜角θ３°についても、上流側の移動軌跡Ｚに対して９０°以上の鈍角、好ましくは１００°乃至１７０°の角度範囲に設定される。これにより、第二方向変換案内面２５２を通過した感光材料Ｐが補助案内面２５７に接触したとしても、該感光材料Ｐの先端と補助案内面２５７との接触角度が小さくなるようになっている。なお、上述の如く感光材料Ｐがカールしている場合、この補助案内面２５７についても、移動軌跡Ｚに対して鈍角になることを前提に、カールした感光材料Ｐに対して接線方向に延びるように形成することが好ましい。
【００５７】
補助ガイド体２５０ｃは、第二方向変換案内面２５２上での感光材料Ｐの案内が阻害されるのを防止すべく、補助案内面２５７の一部を第一ガイド体２５０ａの他端部における他方の面と対向させるようにして設けられている。すなわち、補助案内面２５７は、第二方向変換案内面２５２での感光材料Ｐの案内を阻害することなく、該第二方向変換案内面２５２を延長するように機能する。そして、該補助ガイド体２５０ｃは、補助案内面２５７の先下がり側の下端に該補助案内面２５７とは反対側に先下りするように形成された傾斜部２５８が接続され、該傾斜部２５８の下端に搬送機構２６０（ベースフレーム２６１）に固定される垂下部２５９が略鉛直方向に垂下した態様で接続されている。
【００５８】
すなわち、該補助ガイド体２５０ｃは、補助案内面２５７を構成する一端側の部分と傾斜部２５８とで「くの字状」をなし、その下端に真っ直ぐ延びる垂下部２５９が接続された態様をなす。このように傾斜部２５８を設けて垂下部２５９を略水平方向において補助案内面２５７の下端よりも上端側に位置させることで感光材料Ｐが補助案内面２５７以外の箇所に干渉するのを防止し、該感光材料Ｐが第二ガイド体２５０ｂ（後述する第三方向変換案内面２５５）に向けて垂下するようになっている。
【００５９】
第二ガイド体２５０ｂは、図６に示す如く、一方の面を上方に向けて横臥（横向き）状態で設けられている。すなわち、該第二ガイド体２５０ｂは、一方の面をリバース機構２４０及び露光ユニット２０２の下部（下面）と対向するようにして筐体２の底に配置されている。これにより、第二ガイド体２５０ｂは、一端側を第一ガイド体２５０ａの下方（本実施形態においては、補助ガイド体２５０ｃの下方）に位置させ、他端側をマガジン２００ａ側に位置させるようにして配設されている。
【００６０】
該第二ガイド体２５０ｂは、一端部が一方の面側に起き上がるように曲げられており、その一端部における一方の面で第一ガイド体２５０ａ（本実施形態においては補助ガイド体２５０ｃ）での案内後に垂下する感光材料Ｐの移動軌跡（直線性のある部分）Ｚを延長した仮想線Ｌに対して交差し、且つ感光材料Ｐに対する案内方向の下流側ほど、基準となる上流側の移動軌跡Ｚ及び仮想線Ｌから離間するように方向変換案内面（以下、第三方向変換案内面という）２５５が形成されている。また、第二ガイド体２５０ｂは、第三方向変換案内面２５５に対して他端側（第三方向変換案内面２５５の基準となる移動軌跡Ｚと仮想線Ｌとから離間する側）に上向きの平面からなる主案内面（以下、第二主案内面という）２５５が連続して形成されている。さらに、本実施形態においては、第二ガイド体２５０ｂは、他端部についても、一方の面側に起き上がるように曲げられており、第二主案内面２５４で案内されてくる感光材料Ｐの移動方向−Ｙを上方に変更する方向変換案内面（以下、第四方向変換案内面という）２５６が、第二主案内面２５４で案内される感光材料Ｐの移動軌跡Ｚ（上流側の移動軌跡Ｚ）を延長した仮想線Ｌに交差し、且つ感光材料Ｐに対する案内方向の下流側ほど、基準となる上流側の移動軌跡Ｚ及び仮想線Ｌから離間するように形成されている。
【００６１】
本実施形態に係る第三方向変換案内面２５５及び第四方向変換案内面２５６は、何れも感光材料Ｐの移動軌跡Ｚの上流側の直線性の有する箇所（第三方向変換案内面２５５にあっては、これよりも上流側で補助案内面２５７を通過して感光材料Ｐが垂下状態となる直線性を有する移動軌跡Ｚ部分で、第四方向変換案内面２５６にあっては、これよりも上流側の第二主案内面２５４で案内される直線性を有する移動軌跡Ｚ部分）を基準にして傾斜角が決定された傾斜面で構成されている。そして、傾斜角θ４°，θ５°は、上流側の移動軌跡Ｚに対して９０°以上の鈍角、好ましくは１００°乃至１７０°の角度範囲に設定される。これにより、第三方向変換案内面２５５及び第四方向変換案内面２５６に対する感光材料Ｐの先端との接触角度が小さくなるようになっている。なお、感光材料Ｐがロールから引き出されてカールした状態にある場合、方向変換案内面２５１，２５２は、移動軌跡Ｚに対して鈍角になることを前提に、カールした感光材料Ｐに対して接線方向に延びるように形成することが好ましい。
【００６２】
そして、上記第一ガイド体２５０ａ、第二ガイド体２５０ｂ、及び補助ガイド体２５０ｃは、図７に示す如く、何れも一方の面（第一方向変換案内面２５１、第一主案内面２５３、第二方向変換案内面２５２、補助案内面２５７、第三方向変換案内面２５５、第二主案内面２５４、第四方向変換案内面２５６）に、感光材料Ｐの移動方向に延びる複数の凸条Ｂ…が幅方向（移動方向と直交する方向）に所定間隔をおいて突設されている。本実施形態に係る凸条Ｂ…は、断面において略半円形状、或いは半楕円形状に形成されており、突出高さｈが０．３ｍｍ以上、幅Ｗが０．３〜１０ｍｍ、外面の曲率半径Ｒが０．３ｍｍ以上に設定されている。
【００６３】
このように凸条Ｂ…を設けると、感光材料Ｐとの接触面積を非常に小さくすることができ、感光材料Ｐが案内される（摺接する）ときの接触抵抗を小さくすることができる。そして、本実施形態においては、第一ガイド体２５０ａ、第二ガイド体２５０ｂ、及び補助ガイド体２５０ｃは、各凸条Ｂ…が表面仕上げされ、該凸条Ｂ…の表面（外面）の表面粗さがＲｍａｘ＝２５Ｓ以下に仕上げられており、感光材料Ｐとの接触抵抗をさらに小さくするようにしている。なお、表面仕上げは凸条Ｂ…の表面だけでなく、その周囲、或いは、第一ガイド体２５０ａ及び第二ガイド体２５０ｂ並びに補助ガイド体２５０ｃの各一方の面全体を表面仕上げするようにしても勿論よい。
【００６４】
図３に戻り、前記搬送機構２６０は、第二姿勢になった圧着搬送ユニット２８０から送り出される感光材料Ｐを把持可能に構成されると共に、略鉛直方向（垂直方向）及び感光材料Ｐの幅方向（略水平方向）に移動可能に構成された第二把持機構２６３を備えている。該搬送機構２６０は、第二把持機構２６３を略鉛直方向に移動させつつ略水平方向にも移動させることで、把持した感光材料Ｐを二列に振り分けて、下流側の搬送系３００に渡す振り分け搬送と、第二把持機構２６３を略鉛直方向にだけ移動させ、把持した感光材料Ｐを真っ直ぐそのまま下流側の搬送系２０３に渡す単列搬送とを行えるようになっている。
【００６５】
図２に戻り、前記現像処理部３０は、露光処理装置２０（搬送機構２６０）から送り込まれてくる感光材料Ｐを現像するためのもので、現像処理液が貯留される現像処理液槽３０１と、該現像処理液槽３０１内の現像処理液に対して感光材料Ｐを浸漬して引き上げる動作を繰り返すように、感光材料Ｐを搬送する搬送系３００とを備えている。前記現像処理液槽３０１は、複数の液槽３０１ａ，３０１ｂ…が横並びに配置されることで構成されている。
【００６６】
各液槽３０１ａ，３０１ｂ…には、感光材料Ｐに対して現像処理、漂白処理、定着処理、安定処理を行うための現像処理液が貯留されている。すなわち、各液槽３０１ａ，３０１ｂ…には、上流側から順に現像液（ＣＤ）、漂白・定着液（ＢＦ）、安定液（ＳＴＢ）、洗浄液が貯留されている。前記搬送系３００は、現像処理液槽３０１（各液槽３０１ａ，３０１ｂ…）の現像処理液（現像液、漂白・定着液、安定液、洗浄液）中で感光材料Ｐを搬送する液中搬送系３００ａと、各液槽３０１ａ，３０１ｂ…から引き上げられた感光材料Ｐを下流側で隣接する液槽３０１ａ，３０１ｂ…内に導きつつ搬送する外部搬送系３００ｂとで構成されており、各搬送系２０３のそれぞれは、複数のローラ対（採番しない）により構成されている。
【００６７】
前記乾燥処理部４０は、現像処理部３０から送られてきた感光材料Ｐに熱風を吹き付け、感光材料Ｐに付着した現像処理液（水分）を乾燥させるようになっている。
【００６８】
本実施形態に係る写真処理装置１は以上の構成からなり、以下に、該写真処理装置１の作動について説明する。
【００６９】
上記構成の写真処理装置１は、図２に示す如く、マガジン２００ａから引き出された感光材料Ｐが切断装置２０１で切断され、所定サイズの枚葉状になった感光材料Ｐが第二搬送系２２０を介して露光ユニット２０２に送り込まれてくる。この際、露光ユニット２０２の上流側のローラ対２０７は圧着が解除された状態で待機しており、感光材料Ｐの先端部がローラ対２０７間に進入すると、圧着状態になって該感光材料Ｐが下流側に搬送される。そして、感光材料Ｐが露光領域Ａに到達すると、予め読み取った画像データを基に露光エンジン２０６が搬送中の感光材料Ｐに対して露光処理を施すことになる。
【００７０】
そして、下流側のローラ対２０８は、露光中の感光材料Ｐが到達するまで圧着を解除した状態で待機しており、感光材料Ｐの先端部がローラ対２０８間に進入した状態で圧着して上流側のローラ対２０７と共に露光処理中の感光材料Ｐを下流側（リバース機構２４０）に向けて搬送する。
【００７１】
この際、露光ユニット２０２（露光領域Ａ）の下流側にあるリバース機構２４０（圧着搬送ユニット２８０）は、第一姿勢（受取り可能な姿勢）で待機している。そうすると、露光処理中の感光材料Ｐの先端が、第一ガイド板２８１と第二ガイド板２８２との間に進入し、搬送ローラ対２８３間に到達した感光材料Ｐは搬送ローラ対２８３で圧着搬送されることになる。
【００７２】
そして、この状態で圧着搬送ユニット２８０が第一姿勢にあるため、搬送ローラ対２８３で圧着搬送される感光材料Ｐは、その搬送ローラ対２８３の下流側に略水平方向＋Ｘで搬送されることになる。すなわち、感光材料Ｐの移動軌跡Ｚを略水平方向で維持したまま該感光材料Ｐが送り出されることになる。そうすると、その感光材料Ｐの移動軌跡Ｚと交差した第一方向変換案内面２５１に感光材料Ｐの先端が接触することになるが、第一方向変換案内面２５１が、その感光材料Ｐの移動軌跡Ｚを基準にして鈍角をなす傾斜面であるため、感光材料Ｐの先端が接触するに際して衝撃が加わることなく該第一方向変換案内面２５１に沿うことになり、当該感光材料Ｐに対して上流側で露光処理が施されていたとしても露光処理に影響を与えることがない。
【００７３】
そして、露光ユニット２０２とリバース機構２４０（圧着搬送ユニット２８０）による当該感光材料Ｐの搬送によって、感光材料Ｐの先端部は、第一方向変換案内面２５１、第一主案内面２５３、第二方向変換案内面２５２に沿って移動する。この際、感光材料Ｐの先端が第一主案内面２５３から第二方向変換案内面２５２に乗り移るに際しても、第二方向変換案内面２５２が感光材料Ｐの移動軌跡Ｚを基準にして鈍角をなす傾斜面であるため、感光材料Ｐの先端が接触するに際して衝撃が加わることなく該第二方向変換案内面２５２に沿うことになり、当該感光材料Ｐに対して上流側で露光処理が施されていたとしても露光処理に影響を与えることがない。
【００７４】
さらに、露光処理が継続されて感光材料Ｐが搬送されると、該感光材料Ｐの先端が補助ガイド体２５０ｃの補助案内面２５７上に乗り移ることになる。この場合においても、補助案内面２５７が感光材料Ｐの移動軌跡Ｚを基準にして鈍角をなす傾斜面であるため、感光材料Ｐの先端が接触するに際して衝撃が加わることなく補助案内面２５７に沿うことになり、当該感光材料Ｐに対して上流側で露光処理が施されていたとしても露光処理に影響を与えることがない。なお、補助案内面２５７が第二方向変換案内面２５２に対して下方側に変位した位置にあるため、感光材料Ｐがカール等している場合には、該感光材料Ｐが直接補助案内面２５７に乗り移ることなく通過する場合があるが、補助案内面２５７を通過した量が大きくなるにつれて、感光材料Ｐの自重によって補助案内面２５７の下端部近傍に接触することになる。
【００７５】
そして、感光材料Ｐの先端が補助案内面２５７を通過し、その通過量が多くなるにつれて感光材料Ｐは自重の作用で略鉛直方向に垂下した状態になる。さらに該感光材料Ｐが露光ユニット２０２及び圧着搬送ユニット２８０によって搬送されると、該感光材料Ｐの先端が第二ガイド体２５０ｂの第三方向変換案内面２５５に接触することになるが、ここでも第三方向変換案内面２５５が感光材料Ｐの移動軌跡Ｚを基準にして鈍角をなす傾斜面であるため、感光材料Ｐの先端が接触するに際して衝撃が加わることなく該第三方向変換案内面２５５に沿うことになり、当該感光材料Ｐに対して上流側で露光処理が施されていたとしても露光処理に影響を与えることがない。
【００７６】
そして、露光ユニット２０２とリバース機構２４０（圧着搬送ユニット２８０）による当該感光材料Ｐの搬送によって、感光材料Ｐの先端部は、第三方向変換案内面２５５で移動方向が変換された後、第二主案内面２５４に沿って略水平方向（−Ｘ方向）に移動し、第四方向変換案内面２５６に乗り移ることになる。そして、感光材料Ｐの先端が第二主案内面２５４から第四方向変換案内面２５６に乗り移るに際しても、第四方向変換案内面２５６が感光材料Ｐの移動軌跡Ｚを基準にして鈍角をなす傾斜面であるため、感光材料Ｐの先端が接触するに際して衝撃が加わることなく該第四方向変換案内面２５６に沿うことになり、当該感光材料Ｐに対して上流側で露光処理が施されていたとしても露光処理に影響を与えることがない。
【００７７】
そして、該感光材料Ｐの後端が露光ユニット２０２の上流側のローラ対２０７を通過するに当たり、該ローラ対２０７の圧着によるバンディングの発生（感光材料Ｐに対する露光ムラの発生）を防止すべく該ローラ対２０７は圧着が解除され、当該感光材料Ｐは、下流側のローラ対２０８と圧着搬送ユニット２８０（搬送ローラ対２８３）とで下流側に搬送されつつ露光処理が続行されることになる。
【００７８】
かかる感光材料Ｐに対する露光処理が終わり、その後端部が露光ユニット２０２のローラ対２０８を通過して圧着搬送ユニット２８０（搬送ローラ対２８３間）に到達すると、感光材料Ｐの搬送を一旦停止し、フレーム２４１が９０°回転し、感光材料Ｐを受け取り可能な最下の位置で待機する二把持機構２６３に対して後端を先頭にして感光材料Ｐを略鉛直方向に送り出す（第二状態）。
【００７９】
このように感光材料Ｐをスイッチバックさせる（搬送経路に対する感光材料Ｐの先頭を入れ替える）ことで、当該感光材料Ｐは表裏を反転した状態で下流側に送り出されることになる。そして、第二把持機構２６３がリバース機構２４０から送り込まれた感光材料Ｐを把持すると、圧着搬送ユニット２８０の他方の搬送ローラ２８３ｂが一方の搬送ローラ２３ａから離間して感光材料Ｐに対する圧着が解除される。そして、第二把持機構２６３が上昇して感光材料Ｐを振り分け搬送、或いは単列搬送し、該感光材料Ｐが受取ユニット２７０を介して現像処理部３０に送り込まれることになる（図２参照）。なお、感光材料Ｐが長尺な場合（上述の如く、露光処理時において第一ガイド体２５０ａ乃至第二ガイド体２５０ｂに案内されるような長尺な感光材料Ｐ）の場合、第二把持機構２６３が受取ユニットに感光材料Ｐを送り込む状態においても該感光材料Ｐがリバース機構２４０に跨った状態になるため、この場合においては感光材料Ｐは単列搬送されることになる。
【００８０】
そして、感光材料Ｐが圧着搬送ユニット２８０（搬送ローラ対２８３）を完全に通過すると、リバース機構２４０は、搬送ローラ対２８３の圧着を解除したまま圧着搬送ユニット２８０が回転し、露光ユニット２０２から搬送されてくる後続の感光材料Ｐの受け取って搬送する第一状態に戻ることになる。
【００８１】
そして、搬送機構２６０によって現像処理部３０に送り込まれた感光材料Ｐは、現像処理液に対する感光材料Ｐの浸漬と引き上げとが繰り返されながら下流側に搬送されて現像処理が行われた後、乾燥処理部４０で乾燥され、最終的に長尺な写真プリントとして排出されることになる（図２参照）。
【００８２】
以上のように、本実施形態に係る写真処理装置１（露光処理部２０）は、ガイド手段２５０が、略鉛直方向に方向変換された感光材料Ｐの移動方向を少なくとも一回以上方向変換させるよう、感光材料Ｐを方向変換させる部位に感光材料Ｐを案内する方向変換案内面２５２，２５５，２５６を更に有しているので、長尺な感光材料が採用されたとしても、該感光材料Ｐが筐体２の底部に干渉するのを防止することができ、露光ユニット２０２に跨った他端（後端）側に対する露光処理を適正に行うことができる。
【００８３】
そして、第一乃至第四方向変換案内面２５１，２５２，２５５，２５６が、それぞれの上流側の感光材料Ｐの移動軌跡Ｚを延長した仮想線Ｌに交差するように形成されているので、感光材料Ｐを略鉛直方向に方向変換させる部位やそれ以外での方向変換させる部位の何れにおいても、リバース機構２０４によって搬送されて移動する感光材料Ｐ（先頭となる一端部）と方向変換案内面２５１，２５２，２５５，２５６との接触角度が小さくなり、方向変換案内面２５１，２５２，２５５，２５６に対して感光材料Ｐの先端が接触する際に衝撃が生じて上流側での露光処理に影響がでる（バンディングが発生する）のを防止することができ、他端側が露光ユニット２０２で露光されていても適正な露光を行うことができる。
【００８４】
そして、本実施形態においては、前記ガイド手段２５０がリバース機構２４０を通過する感光材料Ｐの移動方向を略鉛直方向下方に方向変換させる（第一）方向変換案内面２５１を有する第一ガイド体２５０ａと、第一ガイド体２５０ａで方向変換されて垂下状態にある感光材料Ｐの移動方向を略水平方向に方向変換させる（第三）方向変換案内面２５５を有する第二ガイド体２５０ｂとで構成されているので、バンディングを発生させることなく、略水平方向に搬送されてくる感光材料Ｐの移動方向を略鉛直方向に方向変換した後に略水平方向に変更することができる。その上、第一ガイド体２５０ａに第二方向変換案内面２５２を設け、第二ガイド体２５０ｂに第四方向変換案内面２５６を設けるようにしたので、露光処理部２０における筐体２内に搬送機構２６０等が内装されていたとしても、これらを躱して感光材料Ｐを安定して移動させることができる。
【００８５】
さらに、第一ガイド体２５０ａと第二ガイド体２０５ｃとの間に、搬送機構２６０に固定した補助ガイド体２５０ｃを設けるようにしたので、搬送機構２６０等を引き出し可能な構成としても、これらとガイド手段２５０との干渉を防止した上で感光材料Ｐを安定して案内することができる。そして、この補助ガイド体２５０ｃの補助案内面２５７についても、感光材料Ｐの移動軌跡Ｚを延長した仮想線Ｌに交差するように形成したので、感光材料Ｐの先端が接触する際に衝撃が生じてバンディングが発生するといった事態になるのを防止することができる。
【００８６】
また、第一状態にあるリバース機構２４０を通過した感光材料Ｐを方向変換案内面で方向変換させるようにしたので、駆動を必要とするローラ対等を必要とせずに感光材料Ｐを安定して移動させることができる上に、構成の簡易化乃至コスト低減にも貢献することができる。
【００８７】
そして、第一ガイド体２５０ａ及び第二ガイド体２５０ｂは、感光材料Ｐを案内する一方の面（方向変換案内面２５１，２５２，２５５，２５６、主案内面２５３，２５４、補助案内面２５７）上に、感光材料Ｐの移動方向に沿って延びる複数の凸条Ｂ…を横並びに形成するようにしたので、ガイド手段２５０と感光材料Ｐとの接触抵抗を小さくすることができる。これにより、ガイド手段２５０と感光材料Ｐとの接触によって振動等が発生することがなく、他端側での露光処理を適正に行うことができる。また、第一ガイド体２５０ａ及び第二ガイド体２５０ｂと感光材料Ｐとの接触による静電気の発生を抑制することができ、静電気の作用で感光材料Ｐがガイド手段２５０に吸い寄せられて感光材料Ｐの移動抵抗が大きくなってしまうといった事態の発生も防止することができる。
【００８８】
さらに、方向変換案内面２５１，２５２，２５５，２５６は、上流側における直線性のある感光材料Ｐの移動軌跡Ｚに対して１００°乃至１７０°の角度範囲内で傾斜した傾斜面で構成するようにしたので、各方向変換案内面２５１，２５２，２５５，２５６に対する感光材料Ｐの進入角度が小さくなり、方向変換案内面２５１，２５２，２５５，２５６に対して感光材料Ｐの先端が接触する際に衝撃が生じるのを確実に防止することができる。
【００８９】
尚、本発明の露光処理装置は、上記実施形態に限定されるものではなく、本発明の要旨を逸脱しない範囲内において種々変更を加え得ることは勿論である。
【００９０】
上記実施形態において、第一ガイド体２５０ａの第一方向変換案内面２５１で移動方向を略鉛直方向下方に方向変換された感光材料Ｐの移動方向を、第二方向変換案内面２５２、補助案内面２５７、第三方向変換案内面２５５、及び第四方向変換案内面２５６で複数回方向変換するようにしたが、これに限定されるものではなく、例えば、上流側（一次側）の方向変換案内面２５１で移動方向を略鉛直方向下方に方向変換された感光材料Ｐの移動方向を略水平方向に一回方向変換するよう、その感光材料Ｐを方向変換させる部位に、下流側（二次側）の方向変換案内面を設けてガイド手段２５０を構成するようにしてもよい。すなわち、最上流の方向変換案内面で略鉛直方向に方向変換された感光材料Ｐを少なくとも一回以上方向変換するように、感光材料Ｐを方向変換させる部位に、下流側（二次側）の方向変換案内面を少なくとも一つ以上設けてガイド手段２５０を構成すれば、喩え、リバース機構２４０と筐体２の底との間隔が狭くても、感光材料Ｐの移動距離を確保することができ、長尺な感光材料Ｐを適正に露光処理することができる。
【００９１】
上記実施形態において、第一状態にあるリバース機構２４０を通過した感光材料Ｐの移動方向を方向変換させるガイド手段２５０を、第一ガイド体２５０ａ、第二ガイド体２５０ｂ、及び補助ガイド体２５０ｃで構成したが、これに限定されるものではなく、例えば、ガイド手段２５０は、第一ガイド体２５０ａ、第二ガイド体２５０ｂ、及び補助ガイド体２５０ｃを一体的に形成（例えば、一枚の板材を曲げ加工して一体に形成）するようにしてもよい。この場合において、感光材料Ｐの移動方向を方向変換させる部位に、方向変換案内面２５１，２５２，２５５，２５６を設けることは勿論のことである。なお、上記実施形態のように搬送機構２６０等が引き出し可能と構成された場合には、これらとの干渉を防止できるような形状にしたり、適宜分割させることは勿論のことである。
【００９２】
上記実施形態において、方向変換案内面２５１，２５２，２５５，２５６を上流側における感光材料Ｐの移動軌跡Ｚに対する傾斜面で構成するようにしたが、これに限定されるものではなく、例えば、方向変換案内面２５１，２５２，２５５，２５６を円弧面（Ｒ面）で構成しても勿論よい。すなわち、方向変換案内面２５１，２５２，２５５，２５６は、感光材料Ｐを方向変換させる部位に対して上流側の基準となる感光材料Ｐの移動軌跡Ｚ（直線性のある移動軌跡Ｚ）を感光材料Ｐに移動方向下流側に延長した仮想線Ｌに交差し、且つ感光材料Ｐに対する案内方向の下流側ほど基準となる前記移動軌跡Ｚ及び仮想線Ｌから離間するように形成されればよい。
【００９３】
上記実施形態において、第一ガイド体２５０ａに第二方向変換案内面２５２を設けると共に、第二ガイド体２５０ｂに第四方向変換案内面２５６を設けるようにしたが、例えば、第二ガイド体２５０ｂ（第三方向変換案内面）が第一ガイド体２５０ａ（第一主案内面２５３）に案内された感光材料Ｐの移動軌跡Ｚに対応して配置できる場合には、第一ガイド体２５０ａに第二方向案内面２５２を設ける必要はない。また、第二ガイド体２５０ｂにおいては、第二主案内面２５４に案内される感光材料Ｐの移動方向を方向変換させる必要がない場合には必ずしも第四方向変換案内面２５６を設ける必要はない。すなわち、ガイド手段２５０は、略鉛直方向に方向変換させた感光材料Ｐを少なくとも一回以上方向変換させるように構成されればよい。
【００９４】
上記実施形態において、ガイド手段２５０を構成する第一ガイド体２５０ａ及び第二ガイド体２５０ｂの何れもを板材で構成し、方向変換案内面２５１，２５２，２５５，２５６や主案内面２５３，２５４をその板材の一方の面で構成したが、これに限定されるものではなく、例えば、長手に延びる一側面が同一面上に位置すると共に感光材料Ｐの移動方向に沿うように複数の長尺材を該感光材料Ｐの幅方向に間隔をおいて配置し、その一側面で上記実施形態における方向変換案内面や主案内面を形成するようにしてもよい。このようにすれば、第一ガイド体２５０ａ、及び第二ガイド体２５０ｂの感光材料Ｐを案内する一方の面に複数の凸条Ｂ…を設けたのと同様に、感光材料Ｐとの接触面積を小さくすることができる。
【００９５】
上記実施形態においては、第一ガイド体２５０ａ、及び第二ガイド体２５０ｂの感光材料Ｐを案内する一方の面に複数の凸条Ｂ…を設けるようにしたが、これに限定されるものではなく、例えば、凸条Ｂ…を一つ設けるようにしてもよい。このようにしても、感光材料Ｐとガイド手段２５０との接触面積を小さくすることができる。また、凸条Ｂ…は必ずしも設ける必要はなく、必要に応じて設ければよい。但し、ガイド手段２５０を板材で構成して凸条Ｂ…を設けない場合には、感光材料Ｐとガイド手段２５０とが面接触するようになるため、この場合、感光材料Ｐとの接触抵抗を小さくするのに、一方の面に対して表面加工やメッキ加工、或いはフッ素加工を施すことが好ましい。
【図面の簡単な説明】
【００９６】
【図１】本発明の一実施形態に係る写真処理装置の全体正面図を示す。
【図２】同実施形態の写真処理装置の全体概略図を示す。
【図３】同実施形態の露光処理部の部分拡大図を示す。
【図４】図３の部分Ａに対する拡大図を示す。
【図５】図３の部分Ｂに対する拡大図を示す。
【図６】図３の部分Ｃに対する拡大図を示す。
【図７】同実施形態のガイド手段（第一ガイド体、第二ガイド体、補助ガイド体）の断面図を示す。
【符号の説明】
【００９７】
１…写真処理装置、２…筐体、３…補助筐体、１０…制御部、２０…露光処理部、２３ａ…搬送ローラ、３０…現像処理部、４０…乾燥処理部、１００…モニター、１０１ａ…キーボード、１０１ｂ…マウス、１０１…入力手段、１０２ａ…フィルムスキャナ、１０２ｂ…メディアドライブ、１０２…読取手段、１０３…演算処理装置、２００ａ…マガジン、２００ｂ…マガジン、２０１…切断装置、２０２…露光ユニット、２０３…搬送系、２０４ａ，２０４ｂ…カッター、２０５…露光部搬送系、２０６…露光エンジン、２０７，２０８…ローラ対、２１０…第一搬送系、２１１ａ…ローラ、２１１…ローラ対、２２０…第二搬送系、２２１…第一把持機構、２２２…ガイドレール、２３０…第三搬送系、２４０…リバース機構、２４１…フレーム、２４３…側板部、２４４，２４５…連結部、２４８…機構系、２５０…ガイド手段、２５０ａ…第一ガイド体、２５０ｂ…第二ガイド体、２５０ｃ…補助ガイド体、２５１…第一方向変換案内面（方向変換案内面）、２５２…第二方向変換案内面（方向変換案内面）、２５３…第一主案内面（主案内面）、２５４…第二主案内面（主案内面）、２５５…第三方向変換案内面（方向変換案内面）、２５６…第四方向変換案内面（方向変換案内面）、２５７…補助案内面、２５８…傾斜部、２５９…垂下部、２６０…搬送機構、２６１…ベースフレーム、２６２…取付ブラケット、２６３…第二把持機構、２８０…圧着搬送ユニット、２８１，２８２…ガイド板、２８３ａ…搬送ローラ、２８３ｂ…搬送ローラ、２８３…搬送ローラ対、２８４…第一ローラ用開口、２８５…第二ローラ用開口、２８６…アーム部材、３００ａ…液中搬送系、３００ｂ…外部搬送系、３００…搬送系、３０１ａ，３０１ｂ…液槽、３０１…現像処理液槽、Ｆ…フィルム、Ｇａ，Ｇｂ…ガイド面、Ｐ…感光材料、Ｓ１…回転軸（軸）、Ｓ２…軸
【図１】
2007156236.tif 000003
【図２】
2007156236.tif 000004
【図３】
2007156236.tif 000005
【図４】
2007156236.tif 000006
【図５】
2007156236.tif 000007
【図６】
2007156236.tif 000008
【図７】
2007156236.tif 000009